(57)【要約】【課題】複数の布素材を織ったり編んだりすることなく複合させ、独特の外観と印象を有する新規な布地を提供する。【解決手段】並置された複数の帯状の布片を含む第一の布片群と、前記第一の布片群の上に積層され、互いに離間して並置された複数の帯状の布片を含む第二の布片群とを含む布地であって、前記第一の布片群に含まれる布片の長手方向と、前記第二の布片群に含まれる布片の長手方向とが交差しており、前記第一の布片群と前記第二の布片群とが、縫糸によって互いに結合されている。【選択図】図１
2018080416.tif 000002
【特許請求の範囲】
【請求項１】
並置された複数の帯状の布片を含む第一の布片群と、
前記第一の布片群の上に積層され、互いに離間して並置された複数の帯状の布片を含む第二の布片群とを含む布地であって、
前記第一の布片群に含まれる布片の長手方向と、前記第二の布片群に含まれる布片の長手方向とが交差しており、
前記第一の布片群と前記第二の布片群とが、縫糸によって互いに結合されている、布地。
【請求項２】
前記第一の布片群の複数の布片が互いに離間して並置されている、請求項１に記載の布地。
【請求項３】
前記縫糸により刺繍が形成されている、請求項１又は２に記載の布地。
【請求項４】
複数の帯状の布片を含む第一の布片群を並置する第一の並置工程と、
前記第一の布片群の上に、複数の帯状の布片を含む第二の布片群を、互いに離間させ、且つ前記第一の布片群に含まれる布片の長手方向と前記第二の布片群に含まれる布片の長手方向とが交差するように並置する第二の並置工程と、
糸縫加工を施し、前記第一の布片群と前記第二の布片群とを互いに結合させて、布地を得る糸縫工程とを有する、布地の製造方法。
【請求項５】
前記糸縫工程が、刺繍加工を含む、請求項４に記載の布地の製造方法。
【請求項６】
前記第一の並置工程が、前記第一の布片群を可溶性シートの上に並置することを含み、
前記糸縫工程の後、前記得られた布地を、前記可溶性シートを溶解可能な溶媒中に浸漬し、前記可溶性シートを溶解させる溶解工程をさらに有する、請求項４又は５に記載の布地の製造方法。
【発明の詳細な説明】
【技術分野】
【０００１】
本発明は、布地、及び布地の製造方法に関する。
【背景技術】
【０００２】
従来、複数の布素材を複合させて所定の大きさの布地としたものが知られており、その例として、パッチワーク地が挙げられる（特許文献１）。また、テープ様のたて糸及びよこ糸が織られた織布材料も知られている（特許文献２）。
【先行技術文献】
【特許文献】
【０００３】
【特許文献１】特公平７−５９７６１号公報
【特許文献２】特許第４９６０８８８号公報
【発明の概要】
【発明が解決しようとする課題】
【０００４】
しかしながら、特許文献１のようなパッチワーク地は、原則として、端切れの縁部を縫合して端切れを繋ぎ合せていくものであるので、布地の外観は、端切れ自体のデザインと端切れの二次元方向の配置とに主として依存する。
【０００５】
また、特許文献２のような織布材料では、たて糸とよこ糸とが織られてなる構成が、所定の大きさの布地を成立させるために必須であるため、デザインのバリエーションには制限がある。
【０００６】
近年、従来の布地にはない独特の外観と印象を有する布地が求められているが、上記従来技術によって、そのような新規な布地を製造するには限界があった。
【０００７】
上記の点に鑑みて、本発明の一態様においては、複数の布素材を織ったり編んだりすることなく複合させ、独特の外観と印象を有する新規な布地を提供することを課題とする。
【課題を解決するための手段】
【０００８】
上記課題を解決するために、本発明の一形態は、並置された複数の帯状の布片を含む第一の布片群と、前記第一の布片群の上に積層され、互いに離間して並置された複数の帯状の布片を含む第二の布片群とを含む布地であって、前記第一の布片群に含まれる布片の長手方向と、前記第二の布片群に含まれる布片の長手方向とが交差しており、前記第一の布片群と前記第二の布片群とが、縫糸によって互いに結合されている。
【発明の効果】
【０００９】
本発明の一態様によれば、複数の布素材を織ったり編んだりすることなく複合させ、独特の外観と印象を有する新規な布地が提供される。
【図面の簡単な説明】
【００１０】
【図１】本発明の一形態による布地を模式的に示す平面図である。
【図２】本発明の一形態による布地を模式的に示す平面図である。
【図３】本発明の一形態による布地を模式的に示す平面図である。
【図４】本発明の一形態による布地を模式的に示す平面図である。
【図５】本発明の一形態による布地を模式的に示す平面図である。
【図６】本発明の一形態による布地を模式的に示す平面図である。
【図７Ａ】本発明の一形態による布地の製造方法を模式的に示す平面図及び断面図である。
【図７Ｂ】本発明の一形態による布地の製造方法を模式的に示す平面図及び断面図である。
【図７Ｃ】本発明の一形態による布地の製造方法を模式的に示す平面図及び断面図である。
【図７Ｄ】本発明の一形態による布地の製造方法を模式的に示す平面図及び断面図である。
【図７Ｅ】本発明の一形態による布地の製造方法を模式的に示す平面図及び断面図である。
【図８】本発明の一形態による布地を用いて製造された衣服の例を示す。
【図９】本発明の一形態による布地を用いて製造された衣服の例を示す。
【発明を実施するための形態】
【００１１】
以下、図面を参照しながら、本発明の実施の形態を詳説する。なお、図面は、説明を分かりやすくするためのものであって、必ずしも実際の寸法比に従って描画されたものではない。
【００１２】
図１に、本発明の一形態による布地１の模式的な平面図を示す。本明細書において、布地（布又はテキスタイルとも言う）とは、衣料、生活用品、装飾品、家具、建物内装等に用いられる面状又は板状の構造体を指し、構造体全体にわたって均一の素材から製造されているものだけでなく、同じ又は異なる複数の素材を結合させて得られたものも含む。本形態の布地は、図１に示すように、所定の形状を有する複数の布素材（布片）を、所定の規則に基づく配置により組み合わせ、結合させた複合体である。
【００１３】
図１に示す布地１は、図面の上下方向に延在する複数の布片１１１、１１２、…を含む第一の布片群１１０と、その上に積層された、図面の左右方向に延在する複数の布片１２１、１２２、…を含む第二の布片群１２０とを含む。
【００１４】
第一の布片群１１０及び第二の布片群１２０のいずれについても、用いられる布片は、組み合わせることで所定の大きさの布地を形成できるものであれば、特に限定されない。布片としては、織物（布帛を含む）、編物（ニット、レースを含む）、不織布（フェルトを含む）、皮革、合成皮革、紙等が挙げられる。また、多孔質又は非多孔質の樹脂製シート、テープ、又は紐等も利用することもできる。布片が主として繊維を含む場合、その繊維は、綿、絹、麻、羊毛等の天然繊維、ポリエステル、ナイロン、アクリル等の合成繊維、レーヨン、キュプラ等の再生繊維、アセテート等の半合成繊維、炭素、金属等の無機繊維、及びこれらの組合せ（混紡、混織を含む）であってよい。
【００１５】
布片としては、装飾繊維品を用いることもでき、例えば、装飾紐、装飾布、リボン（帽子、頭髪、衣服、贈答品等の装飾や手芸材料として用いられる幅狭の帯状生地）、縁取り装飾テープ等を用いることができる。また、紐を組んで製作されたもの、ひだ寄せ等の処理がされたものも含まれる。布片には、刺繍、スパンコール、ビーズ、ラメ、ボタン等の装飾が施されていてもよい。さらに、一部又は全部が透明又は半透明の布片や、含まれる繊維の密度が小さい、透ける素材からなる布片も用いることもできる。布片は、表面が平滑なものであってもよいし、表面に凹凸があってもよい。また、ゴム等の伸縮性の素材を用いてもよい。さらに、上述の布片のうち異なる２以上の布片が積層又は並置され接合されて一体となっている布片を用いることもできる。布片としては、株式会社ＳＨＩＮＤＯ社製の各種テープを用いることができる。
【００１６】
第一の布片群１１０の布片及び第二の布片群１２０の布片の形状はいずれも帯状である。本明細書で、帯状とは、平たく細長い形状であって、幅に比して長さが大きくなっている形状（テープ状、バンド状とも言う）を指す。用いられる帯状の布片の幅は、一方の端部から他方の端部にわたって一定であってよい。また、布片の幅は、一方の端部から他方の端部にかけて次第に大きく又は小さくなっていてもよいし、場所によって幅の大小の変動が繰り返されているものであってもよい。また、帯状の布片の長い縁部（布片の長手方向に延びる縁部）には、フリルや刻み目等の微細な凹凸が設けられていてもよい。
【００１７】
図１の形態では、第一の布片群１１０の各布片１１１、１１２、…の幅はいずれも、ほぼ一定である。これにより、整然とした印象を与える布地を形成することができる。なお、幅がほぼ一定とは、必ずしも厳密な一定を指すのではなく、幅が±１５％の変動、好ましくは±５％の変動があることも含んでいてよい。
【００１８】
帯状の布片の幅は、第一の布片群１１０及び第二の布片群１２０のいずれについても、２〜８０ｍｍであると好ましく、５〜５０ｍｍであるとより好ましい。布片の幅を上記範囲とすることで、第一の布片群１１０と第二の布片群１２０とを積層させて得られる本形態の布地１による独特な外観を維持しつつ、布地としての形態及び強度を確保することができる。
【００１９】
また、第一の布片群１１０の布片の幅は、第二の布片群１２０の布片の幅より大きくなっていてよい。すなわち、第一の布片群１１０の布片のうち最も幅狭の布片の幅は、第二の布片群１２０の布片のうち最も幅広の布片の幅より大きくなっていてよい。その場合、第一の布片群１１０の布片のうち最も幅狭の布片の幅は、第二の布片群１２０の布片のうち最も幅広の布片の幅の１．０５〜６倍とすることができ、１．５〜３倍とすることができる。
【００２０】
布片の厚さは、０．０５〜６ｍｍであってよく、０．１〜４ｍｍであると好ましく、０．３〜２ｍｍであるとより好ましい。布片の厚さを上記範囲とすることで、第一の布片群１１０と第二の布片群１２０とを含む構成を容易に形成することができ、また布地としての形態及び強度も確保することができる。
【００２１】
本形態では、第一の布片群１１０に含まれる複数の布片１１０、１１２、１１３、…として同種のものを使用しているが、第一の布片群１０に含まれる複数の布片は、互いに異なっていてよい、つまり、異なる素材、幅、厚さ及び／又はデザインを有していてよい。同様に、本形態では、第二の布片群２０に含まれる複数の布片１１０、１１２、１１３、…は同種であるが、第二の布片群２０に含まれる複数の布片も互いに異なるものとすることができる。
【００２２】
また、本形態で第一の布片群１１０に含まれる布片の数は５であるが、第一の布片群１１０の布片の数はこれに限られない。また、第二の布片群１２０の布片として３つの布片１２１〜１２３が図示されている。しかし、布地１は、第一の布片群１１０の布片の長手方向Ｌ１の延長線上に延在する長尺の形態となっており、この布地１の延在に対応して、第一の布片群１１０の布片１１１、１１２、１１３、…の長手方向Ｌ１の延長線上に、第二の布片群１２０の複数の布片がさらに配置されていてよい。なお、第二の布片群１２０の布片の数も、特に限定はない。
【００２３】
図１では、第一の布片群１１０の布片１１１、１１２、１１３、…は、並置されている、つまり、布片の長い縁部（長縁部）が、隣接する布片の長縁部と対向するように並んで配置されている。具体的には、布地１では、布片１１１の長縁部１１１Ａと布片１１２の長縁部１１２Ａとが対向するように配置されており、布片１１２の長縁部１１２Ａとそれに隣接する布片１１３の長縁部とも同様に配置されている。
【００２４】
さらに、本形態では、第一の布片群１１０の布片１１１、１１２、…の長縁部１１１Ａ、１１２Ａ、…は、互いに突き合わされて接触するように配置されているが、第一の布片群１１０の布片１１１、１１２、…の縁部１１１Ａ、１１２Ａ、…は、互いにわずかに重ね合されていてもよい。例えば、布片１１１の縁部１１１Ａと布片１１２の縁部１１２Ａとが重ね合されていてもよい。その場合には、第一の布片群１１０の隣接する布片同士の重ね代は、０．５〜３ｍｍ程度であると好ましい。
【００２５】
また、第一の布片群１１０の布片１１１、１１２、１１３、…は、その一部又は全部が互いに離間して配置されていてもよい。例えば、第一の布片群１１０の布片１１１、１１２、１１３、…同士の間隔は０．５〜５ｍｍ程度であってよい。また、布地の用途及び所望されるデザインに応じて、第一の布片群１１０の布片１１１、１１２、１１３、…は、互いに平行に配置されていてもよく、互いに角度をなして配置されていてもよい。また、幅が変動しているデザインの布片を用いることによって、第一の布片群１１０の隣接する布片同士が、部分的に離間し、布地１に開口が形成されている構成とすることもできる。
【００２６】
本形態では、第二の布片群１２０の布片１２１、１２２、１２３、…は、互いに離間して並置されている、つまり、布片の長縁部が、隣接する布片の長縁部と対向するように並んで配置されている。具体的には、布片１２１の長縁部１２１Ａと布片１２２の長縁部１２２Ａとが対向するように配置されており、布片１２２の長縁部１２２Ａとそれに隣接する布片１２３の長縁部も同様に配置されている。
【００２７】
本形態では、第二の布片群１２０の布片１２１、１２２、１２３、…は、互いにほぼ平行に並置されている、すなわち、第二の布片群１２０の布片１２１、１２２、１２３、…の長手方向の中心線が、互いにほぼ平行になっている。なお、本明細書において、ほぼ平行とは、必ずしも厳密な平行を指すのではなく、±１０°の角度をなす、好ましくは±５°の角度をなすことを含んでいてよい。
【００２８】
しかし、第二の布片群１２０の布片１２１、１２２、１２３、…は、必ずしもほぼ平行に配置されていなくともよい。例えば、第二の布片群１２０の布片１２１、１２２、１２３、…の長手方向の中心線が互いに所定の角度をなして、部分的に重なるような配置となっていてもよい。
【００２９】
また、第二の布片群１２０の布片１２１、１２２、１２３、…は、互いに等間隔で配置されているが、その配置は等間隔でなくともよい。例えば、布地１の用途や所望されるデザイン、或いは第二の布片群１２０の各布片の幅や素材に応じて、布片１２１、１２２、１２３、…の互いの間隔を場所によって異ならせてもよい。第二の布片群１２０の布片１２１、１２２、１２３、…同士の間隔（布片の長縁部と隣接する布片の長縁部との距離）は、第二の布片群１２０の布片の幅より大きいことが好ましく、第二の布片群１２０の布片の幅の１．０５〜６倍とすることができ、１．５〜５倍とすることができる。また、この間隔は、１０〜８０ｍｍであると好ましく、２０〜５０ｍｍであるとより好ましい。
【００３０】
図１の形態では、布片がランダムに（不規則に）配置されるのではなく、それぞれ並置された２つの布片群、第一の布片群１１０及び第二の布片群１２０を積層させるという制約の下、並置されている。そのため、この並置による規則性によって、独特の整然とした美しさを生じさせることができる。しかし、布地の用途や所望されるデザインによって、布地１全体の中に、布片を、ある程度ランダムに配置する領域を部分的に作ってもよい。
【００３１】
第一の布片群１１０の布片１１１、１１２、１１３、…の長手方向Ｌ１と、第二の布片群１２０の布片１２１、１２２、１２３、…の長手方向Ｌ２とは交差している。本形態では、第一の布片群１１０の布片１１１、１１２、１１３、…は互いに平行であり、各布片は共通の長手方向Ｌ１を有する。また同様に、第二の布片群１２０の布片１２１、１２２、１２３、…は互いに平行であり、各布片は共通の長手方向Ｌ２を有する。
【００３２】
本形態では、第一の布片群１１０の布片１１１、１１２、１１３、…の長手方向Ｌ１と、第二の布片群１２０の布片１２１、１２２、１２３、…の長手方向Ｌ２とは互いにほぼ直交している。ここで、互いにほぼ直交とは、必ずしも厳密な直交を指すのではなく、±１０°の角度をなす、好ましくは±５°の角度をなすことを含んでいてよい。しかし、第一の布片群１１０の布片と、第二の布片群１２０の布片とは、ほぼ直交して配置されていなくともよい。第一の布片群１１０の布片の長手方向Ｌ１と第二の布片群１２０の布片の長手方向Ｌ２とのなす角度θは、３０〜１５０°であってよく、４５〜１３５°、或いは６０〜１２０°とすることができる。
【００３３】
なお、本形態では、第一の布片群１１０の帯状の布片１１１、１１２、１１３、…及び第二の布片群１２０の布片１２１、１２２、１２３、…は、布地１の一方の端から他方の端まで連続して延在している、つまり一本の帯状の布片が途切れることなく布地１の端から端まで延びていている。しかし、第一の布片群１１０の帯状の布片１１１、１１２、１１３、…は、途中で途切れていてもよい。その場合には、同じ又は異なる複数の布片が、布片の短縁部で縫合や接着剤等により互いに繋ぎ合わされて、一本の布片を構成していてもよい。また、第一の布片群１１０の布片及び第二の布片群１２０の布片は、1つ又は複数の箇所で、捩じって裏表を返して並置してもよい。
【００３４】
本形態では、積層された第一の布片群１１０と第二の布片群１２０とが、縫糸１５０によって互いに結合されている、つまり、第一の布片群１１０の布片１１１、１１２、１１３、…と第二の布片群１２０の布片１２１、１２２、１２３、…とが互いに結合されている。これにより、第一の布片群１１０の布片同士が互いに結合され、また第二の布片群１２０の布片同士も互いに結合されて、一枚の面状の構造体（布地１）が形成されている。
【００３５】
別の言い方をすると、第一の布片群１１０の複数の帯状の布片１１１、１１２、１１３、…は、縫糸１５０による縫い目によって、第二の布片群１２０の布片１２１、１２２、１２３、…を介して結合されている。図１に示すように、第一の布片群１１０の布片の縁部とそれに隣接する布片の縁部とは、縁部に沿った縫合や接着により結合されている訳ではない。例えば、布片１１１の縁部１１１Ａと布片１１２の縁部１１２Ａとの間には、接合されている部分と接合されていない部分があり、布片１１１の縁部１１１Ａについて言えば、固定された縁部部分１１１ａと固定されていない自由な縁部部分１１１ｂとが存在する。
【００３６】
図１の形態では、縫糸１５０が布片１１１の縁部１１１Ａに対して直交するステッチになっているので、固定された縁部部分１１１ａは、ほぼ点状になっているが、縫糸１５０によって、所与の長さにわたって布片の縁部が固定される場合には、固定された縁部部分１１１ａは所定の長さを有していてもよい。
【００３７】
上記の自由な縁部部分１１１ｂは、布片１１１に隣接する布片１１２が動いた場合でもその動きの影響を受けにくく、独立して比較的自由に動くことが可能である。そのため、本形態の布地１全体に動きを与えた場合（布地１を折ったり、曲げたり、捩じったりした場合）、布片の自由な縁部部分１１１ｂ、１１２ｂ、…は、独立して向きを変えたり、湾曲したり（撓んだり）する。その結果、布片１１１の自由な縁部部分１１１ｂとそれに隣接する布片１１２の自由な縁部部分１１２ｂとの間に段差ができたり、布地に隙間が生じたり、或いはこれらの自由な縁部部分１１１ｂ、１１２ｂが互いに重なったりし得る。そのような段差、隙間、重なり等が、独特の立体感を生じさせ、従来の布地にはない特別な印象を与えることができる。例えば、光（自然光及び人工照明による光を含む）の存在下で、布地１の表面に特有の陰影を生じさせることができる。このような布地の動きは、布地１から、例えば衣服のような製品を製造した場合、人が衣服を着用して身体を動かした際に、特に顕著に観察できる。
【００３８】
布地１の下層の第一の布片群１１０において、上記の自由な縁部部分１１１ｂ、１１２ｂ、…の長さは、布地１の用途や所望されるデザインにもよるが、２〜１００ｍｍとすることができ、５〜７０ｍｍとすることができる。
【００３９】
本形態では、第二の布片群１２０の布片１２１、１２２、…の縁部１２１Ａ、１２２Ａ、…も、固定されていない自由な縁部部分１２１ｂ、１２２ｂ、…を有している。本形態の場合には、第二の布片群１２０の布片１２１、１２２、…の縁部１２１Ａ、１２２Ａ、…は、固定されている縁部部分を有していないので、第二の布片群１２０の布片１２１、１２２、…の縁部１２１Ａ、１２２Ａ、…自体が、自由な縁部部分１２１ｂ、１２２ｂ、…となっている。しかし、縫糸１５０の構成によっては、第二の布片群１２０の布片２１１、２１２、…の縁部２１１Ａ、２１２Ａ、…に、固定された部分があってもよい。その場合、第二の布片群１２０の布片の縁部は、複数の自由な縁部部分を有することになる。第二の布片群１２０の布片は、第一の布片群１１０の布片の自由な縁部部分１１１ｂ、１１２ｂ、…と同様に、布地１表面に、特有の陰影を付与することができるので、布地１を見た者に、特別な印象を与えることができる。
【００４０】
また、本形態は、第一の布片群１２０と第二の布片群１２０との積層体を縫糸によって結合させた構成を有しているので、布地１の上層の第二の布片群２１０は、布地１の内部や裏側に編み込まれたり織り込まれたりすることなく、第一の布片群１１０の布片を互いに結合させる役割を果たしている。そのため、例えば縦横の布片を織った構成のように、上層の第二の布片群２１０が表面から隠されてしまうことはないので、第二の布片群２１０の布片の並置による整然とした印象を布地１に与えることができる。また、布地１の最表面に配置される第二の布片群２１０の布片の選択に応じて、布地１のデザインを斬新に変更することができる。
【００４１】
さらに、本形態の布地１は、布地１を構成する布片自体が、各縁部に自由な縁部部分を有し、これらの自由な縁部部分が比較的自由に動くことができるという点でも、布片を織って構成される布地とは大きく異なっている。このような本形態の構成は、織物等に、装飾用に追加的に布片を装着したものとも大きな相違がある。
【００４２】
図１では、縫糸１５０は、図面の左右方向に、つまり、第二の布片群１２０の布片１２１、１２２、１２３、…の長手方向Ｌ２に平行に、直線的に縫われている。縫糸１５０により形成される縫い目又は縫い方（ステッチ）は、第一の布片群１１０の布片と第二の布片群１２０の布片とを結合できるものであれば、特に限定されないが、ランニングステッチ、バックステッチ、クロスステッチ、チェーンステッチ、ブランケットステッチ、フレンチノットステッチ等を含む任意のステッチであってよい。
【００４３】
さらに、縫糸１５０によって、刺繍が形成されていてもよい。刺繍は、手縫いによって、或いは縫製用のミシン（本縫いミシン）や刺繍機（刺繍ミシン）によって形成することができるが、刺繍機を用いて形成することが好ましい。刺繍機としては、例えば、タジマ工業株式会社製の各種刺繍機が挙げられる。
【００４４】
上記刺繍には、いわゆるジャガード刺繍、相良刺繍、和刺繍等も含まれる。刺繍は、後述のように、テープ状又はコード状の素材を供給しながら布地表面に縫い付けて所定の模様を形成するテープコード刺繍又はハンドル刺繍（テープ刺繍、コード刺繍、千鳥縫い、巻縫い等を含む）であってよいし、スパンコール、ビーズ、ラメ、ボタン、アップリケ、ワッペン等の装飾を装着させるものであってもよい。また、ウレタンのような発泡材料を用いた３Ｄ刺繍や中空立体刺繍等も含まれる。
【００４５】
第一の布片群１１０と第二の布片群１２０との積層体に刺繍が設けられている場合、刺繍は、第一の布片群１１０の側から施されていてもよいし、第二の布片群１２０の側から施されていてもよい。
【００４６】
以下、本発明のさらに別の形態（布地及び布地の製造方法）について説明するが、特に言及がなければ、布片の構成（種類、サイズ、配置等）、また縫糸の構成（種類、縫い目の生成方式）等については、図１の形態と同様とする。
【００４７】
図２に、別の形態による布地２を模式的に示した平面図を示す。本形態では、第一の布片群２１０には、異なる複数の布片２１１、２１２、２１３、…が含まれている。本形態では、これらの異なる布片が、繰り返し規則的な順序で並べられている。しかし、異なる布片を並べて配置する場合、布片を並べる順序は、所望されるデザインによっては不規則であってもよい。また、第二の布片群２２０にも、異なる複数の布片２２１、２２２、２２３、…が含まれている。第二の布片群２２０の異なる布片も、繰り返し規則的な順序で並べられているが、第一の布片群１２０の場合と同様、布片を並べる順序は任意であり、不規則にすることもできる。
【００４８】
本形態では、図１の形態とは異なり、縫糸２５０は、第二の布片群２２０の布片２２１、２２２、２２３、…の長手方向と交差するように、また第一の布片群２１０の布片２１１、２１２、２１３、…の長手方向とも交差するように縫われている。この縫糸２５０によって、連続した矩形の模様（刺繍）が形成されている。このように縫糸２５０によって模様が形成されていると、布片の素材の選択及び布片群の配置によるデザインに加えて、縫糸２５０の模様によるデザインを布地２に加えることができるので、布地２が斬新な外観を有することができるようになる。
【００４９】
縫糸２５０は、第一の布片群２１０の布片２１１、２１２、…の縁部２１１Ａ、２１２Ａ、…とも交差するように縫われているので、第一の布片群２１０の布片は、第二の布片群２２０の布片を介して結合されている箇所と、縫糸２５０によって直接的に結合されている箇所とを有するようにすることができる。例えば、第一の布片群２１０の布片２１１の縁部２１１Ａと、隣接する布片２１２の縁部２１２Ａとが、縫糸２５０によって直接結合されている箇所がある。このような結合により、布片２１１の縁部２１１Ａは、図２に示すような、固定された縁部部分２１１ａと固定されていない縁部部分２１１ｂとを有する。
【００５０】
本形態のように、第一の布片群２１０の布片の縁部同士が直接結合された箇所があることによって、布地２は、より密に結合されるので、布地２の強度を高めることができ、また、布地２に細かく繊細な陰影を生じさせることができる。
【００５１】
また、縫糸２５０は、第二の布片群２１０の布片２１１、…の縁部２１１Ａ、…とも交差するように縫われており、第二の布片群２２０の布片２２１、…の縁部２１１Ａ、…は、第一の布片群２１０の布片に直接結合するように縫い付けられている。これにより、第一の布片群２１０と第二の布片群２２０との一体感が高められた印象をもたらす。
【００５２】
また、第二の布片群２２０の布片が、自由な縁部部分を複数有することになる。例えば、図２に示すように、布片２２１の縁部２２１Ａは、自由な縁部部分２２１ｂを複数有している。このような第二の布片群２２０の布片の複数の自由な縁部部分２２１ｂ、…は、第一の布片群２１０の布片の複数の自由な縁部部分２１１ｂ、…と相俟って、光の存在下でより一層微細な陰影を生じさせることができる。
【００５３】
図１の形態と同様、本形態でも、布地２の独特な外観に大きく寄与する自由な縁部部分２１１ｂ、２２１ｂ、…は、布地２を構成する要素である布片の一部である。そのため、布地２は、例えば、織物等に装飾用に追加的に布片を装着したものとは大きな相違がある。
【００５４】
第二の布片群２２０の布片の自由な縁部部分２２１ｂ、…の長さは、布地２の用途や所望されるデザインにもよるが、２〜１００ｍｍとすることができ、５〜７０ｍｍとすることができる。
【００５５】
本形態の布地の面積には限定はないが、布地が衣服に用いられる場合、０．０５〜２ｍ２程度とすることができる。また、一枚の布地に含まれる第一の布片群の布片の数は、５〜５００程度とすることができ、一枚の布地に含まれる第二の布片群の布片の数は、２〜１００程度とすることができる。
【００５６】
また、上述のように、本形態による布地２は、織ったり編んだりせずに布片を複合させたものであるので、織られたり編まれたりすることによる構造によってデザインが制約されることはない。そのため、本形態により、従来の布地にはない独特の外観と印象を与える布地を提供することができる。
【００５７】
図３に、別の形態による布地３を模式的に示した平面図を示す。本形態では、第一の布片群３１０に、異なる複数の布片３１１、３１２、３１３、…が含まれており、第二の布片群２２０に、異なる複数の布片３２１、３２２、３２３、…が含まれている。異なる布片は、規則的な順序で繰り返されるように並べられているが、図２の態様で説明したように、布片を並べる順序は、所望されるデザインによって不規則であってもよい。
【００５８】
本形態では、縫糸３５０は、花と波の模様の刺繍となっている。よって、布片の素材の選択及び布片の配置によるデザインと、縫糸３５０による模様とが相俟って、新しいデザインを形成することができる。
【００５９】
図４に、さらに別の形態による布地４を模式的に示した平面図を示す。本形態でも、第一の布片群４１０には、異なる複数の布片４１１、４１２、４１３、…が含まれている。また、第二の布片群４２０には、異なる複数の布片４２１、４２２、４２３、…が含まれている。
【００６０】
第一の布片群４１０と第二の布片群４２０とは縫糸４５０によって互いに結合されているが、第一の布片群４１０と第二の布片群４２０との積層体に施されている刺繍には、テープコード刺繍４５０´も含まれている。テープコード刺繍４５０´は、上述のように、コード状の素材を供給しながらその素材を縫い付けていく機械刺繍の方式である。テープコード刺繍を利用することで、立体的な刺繍を容易に形成することができるので、布地４表面に、強く目立った印象を与える模様を形成することができる。本形態では、テープコード刺繍４５０´による模様と、布片の素材の選択及び布片の配置によるデザインとによって、独特な外観を有する布地４が形成されている。すなわち、第一の布片群の布片及び第二の布片群の布片が作り出す独特の陰影と、テープによる立体的デザインとが融合して、布地４が、従来にない立体感を呈するようになっている。
【００６１】
なお、テープコード刺繍用の素材のサイズや種類には特に限定はないが、幅又は直径が１〜１５ｍｍ程度のテープ状又はコード状の装飾素材を用いることができる。
【００６２】
図５に、さらに別の形態による布地５を模式的に示した平面図を示す。本形態では、第一の布片群５１０及び第二の布片群５２０の積層体の上に、さらに第三の布片群５３０が積層されている。第三の布片群５３０は、帯状の複数の布片５３１、５３２、…を含んでいる。第三の布片群５３０の布片５３１、５３２、…の素材及び幅は、特に限定されないが、２〜２０ｍｍ程度の幅を有しているか、又は透明若しくは半透明の素材となっていることによって、第一の布片群５１０及び第二の布片群５２０が隠されないことが好ましい。
【００６３】
第三の布片群５３０の布片５３１、５３２、…も、第二の布片群５２０の布片５２１、５２２、５２３、…と同様に、互いに離間して配置されていると好ましい。第三の布片群５３０の布片同士の間隔は、１０〜８０ｍｍであると好ましく、２０〜５０ｍｍであるとより好ましい。
【００６４】
本形態では、第三の布片群５３０を設けることで、追加される素材が増え、布地５のデザインをより一層複合的、立体的なものとすることができる。また、第三の布片群５３０の布片の選択によっては、布地５の強度を高めることもできる。
【００６５】
図６に、さらに別の形態による布地６を模式的に示した平面図を示す。第一の布片群６１０の上に第二の布片群６２０が重ねられて結合されている構成は、図１〜図５の形態と同様であるが、本形態では、第一の布片群６１０の複数の布片６１１、６１２、６１３、…が、互いに離間して配置されている。この結果、布地６に開口が形成されている。
【００６６】
このように布地６に開口が形成されていることによって、布地６に、明るく開放的な印象を与えることができ、また布地６の軽量化を図ることもできる。さらに、布片６１１、６１２、…同士の互いの動きの制約は少なくなっている。つまり、布片６１１、…の自由な縁部６１１Ａ、…の縁部部分６１１ｂ、…には、捩じられたり湾曲したりといった動きがより一層生じやすくなっているので、布地６により自由な流線的なデザインを付与することが可能となる。但し、このように第一の布片群６１０の布片６１１、６１２、…が離間して並置された布地を衣服として使用する場合には、裏地を設けることが好ましい
【００６７】
本形態では、第一の布片群６１０の複数の布片６１１、６１２、…は、互いに平行には設けられておらず、第一の布片群６１０の布片は、図面の下に行くにつれ広がっている。別言すると、布地６の一方の端から他方の端に向かって、第一の布片群６１０の複数の布片の間隔が徐々に広がっている。第一の布片群６１０の複数の布片同士の間隔（布片の長縁部と隣接する布片の長縁部との距離）は、最大で、５〜５０ｍｍであると好ましく、１０〜３０ｍｍであるとより好ましい。
【００６８】
第一の布片群６１０の布片６１１、６１２、…は、等間隔で離間させて並置することもできる。すなわち、第一の布片群６１０の布片６１１、６１２、…の長手方向の中心線が互いにほぼ平行になるように配置することもできる。その場合、第一の布片群６１０の複数の布片同士の距離は、５〜３０ｍｍとすることができ、１０〜２０ｍｍとすることができる。
【００６９】
本形態では、第二の布片群６２０の複数の布片６２１、６２２、６２３、…は、第一の布片群６１０の複数の布片に対して斜めに配置されているが、第一の布片群６１０の布片の長手方向に対して任意の方向に配置されていてよい。例えば、第一の布片群６１０の少なくとも１つの布片の長手方向に対して、３０〜１５０°の角度をなすように、或いは４５〜１３５°の角度、６０〜１２０°の角度をなすように配置することができる。また、第一の布片群６１０の布片のうち、布地６の中央付近に配置された布片６１３の長手方向にほぼ直交する方向に配置することもできる。
【００７０】
また、第二の布片群６２０の複数の布片６２１、６２２、６２３、…は、図６に示すように、等間隔で離間させて並置されているが、その間隔は必ずしも等しくなくてもよい。
【００７１】
次に、本形態による布地の製造方法について説明する。本形態による布地の製造方法は、複数の帯状の布片を含む第一の布片群を並置する第一の並置工程と、第一の布片群の上に、複数の帯状の布片を含む第二の布片群を、互いに離間させ、且つ第一の布片群に含まれる布片の長手方向と第二の布片群に含まれる布片の長手方向とが交差するように並置する第二の並置工程と、糸縫加工を施し、第一の布片群と第二の布片群とを互いに結合させて、布地を得る糸縫工程とを有するものである。
【００７２】
第一の並置工程では、複数の帯状の布片を含む第一の布片群を並置する。第一の布片群は、上述のように、第一の布片群の布片は、その長縁部が互いに接するように配置してもよいし、互いに離間させて配置してもよい。第一の布片群の布片を互いに離間させて配置させた場合、図６に示すような開口を有する布地を有することができる。また、第一の布片群の布片は、互いに平行に配置してもよいし、図６に示すように、布地の一方の端部から他方の端部に向かって、次第にその間隔が広がるように離間させて配置してもよい。
【００７３】
第二の並置工程では、既に並置された第一の布片群の上に、布の表面側に配置される第二の布片群を並置する。この場合、第二の布片群の布片は、互いに離間させ、且つ第一の布片群の布片の長手方向と交わるように配置する。第一の布片群の布片が互いに平行に配置されている場合には、第二の布片群の布片を、第一の布片群の布片の長手方向と第二の布片群の布片の長手方向とが直交するように配置すると好ましい。
【００７４】
なお、第一の並置工程と第二の並置工程とは、順番を逆にしてもよい。その場合、第二の並置工程後、第一の布片群及び第二の布片群からなる積層体を裏返して糸縫工程を施すか、又は第二の布片群が積層された側から糸縫工程を施すことができる。糸縫工程は、刺繍工程であってよい。刺繍工程は、上述のように、刺繍機を用いて行うことができる。
【００７５】
第一の並置工程及び第二の並置工程を経て得られた第一の布片群及び第二の布片群の積層体は、布片という素材から構成されているため、その配置は崩れやすい。そのため、第二の並置工程後、糸縫工程を施す前に、第一の布片群及び／又は第二の布片群の布片同士の相対的な位置を固定させておくことが好ましい。例えば、第一の布片群及び第二の布片群の積層体の周縁を、クランプのような器具によって、少なくとも２箇所で固定することができる。或いは、第一の布片群及び第二の布片群の積層体の周縁全体を固定してもよい。その場合、第一の布片群及び第二の布片群の積層体に張力をかけて、布片を引き伸ばして固定することができる。
【００７６】
また、第一の布片群及び第二の布片群の積層体を仮縫いし、布片の相対的な配置を固定しておくこともできる。その場合、可溶性の縫糸を使用して仮縫いをしておくと、布地を得た後、最終段階で、その仮縫い用縫糸を溶かすことができる溶媒中に布地を浸漬させることによって、仮縫い用縫糸を溶かして除去することができるので、好ましい。仮縫い用の縫糸としては、株式会社ニチビ製のソルブロン（登録商標）等を用いることができる。
【００７７】
続いて、相対位置が固定された第一の布片群及び第二の布片群との積層体を、糸縫工程において、第一の布片群と第二の布片群とを互いに結合させる。この糸縫工程は、刺繍加工を含んでいてよい。その場合、刺繍機によって刺繍を施すことができる。
【００７８】
糸縫工程において、刺繍機を用いる場合には、刺繍機に装着された針から受ける圧力、刺繍機の動力源による振動等によって、布片の配置が特に崩れやすくなる。そのため、シート状の平面体の上に、第一の布片群及び第二の布片群を載置し、固定しておくことが好ましい。その場合、シート状体の上に、得ようとする布地に対応する面の領域の周辺の少なくとも一部に、両面テープを配置してから第一の布片群を並置することができる。これにより、第一の布片群の各布片の端部がシート状体に接着されるので、第一の布片群の布片の相対的な配置が保持される。
【００７９】
シート状体を用いる場合には、製造方法は、第一の並置工程前にシート状体を載置しておく工程を含み、また糸縫工程後に、シート状体を除去する工程を含むことになる。その場合、第二の並置工程後に、上述の仮縫い用縫糸で、第一の布片群及び第二の布片群の布片の積層体を、布片の互いの配置を保持するように仮縫いをしておくと好ましい。
【００８０】
シート状体及び両面テープは、上記の仮縫い用の縫糸と同様、可溶性であると、糸縫工程後に、得られた布地を、可溶性シートを溶かすことができる溶媒に浸漬させることで容易に除去できるため、好ましい。
【００８１】
図７Ａ〜７Ｅに、本形態による布地の具体的な製造方法を模式的に示す。各図は、それぞれ（ａ）及び（ｂ）を含むが、（ａ）は、作業を上から見た平面図であり、（ｂ）はその断面図である。
【００８２】
図７Ａに、布地１´の製造の準備段階を示す。図７Ａでは、可溶性シート６０を作業台に載置し、その上に、得ようとする布地１´の領域の周辺に、可溶性の両面テープ７０を配置している。本形態では、得ようとする布地１´は四角形であるので、その４つの辺に両面テープ７０を連続的に配置しているが、両面テープ７０は、布片を固定できれば、間欠的に配置することもできる。
【００８３】
可溶性シート６０としては、布地１´の品質に悪影響を与えない溶媒に可溶なものであることが好ましく、水に可溶な水溶性シートであると好ましい。可溶性シート６０は、布片がその上に載置され布片の配置を保持できるものであれば、特に限定されず、網状であっても多孔質であってもよい。具体的には、ポリビニルアルコール系の合成繊維からなるものが挙げられ、株式会社ニチビ製のソルブロン（登録商標）基布等を用いることができる。また、両面テープ７０としても水溶性のものを使用することができる。
【００８４】
図７Ｂに、第一の並置工程を示す。第一の並置工程では、第一の布片群１０の布片１１、１２、１３、…を順に並置する。図７Ｂに示すように、第一の布片群１０の布片１１、１２、１３、…は、各布片の両端部が、図７Ａに示す段階で配置された両面テープ７０上に載置されるように配置され、これにより、第一の布片群１０の布片１１、１２、１３、…が可溶性シート６０に固定され、第一の布片群１０の布片１１、１２、１３、…同士が相対的に固定される。
【００８５】
次に、図７Ｃに示すように、第二の並置工程によって、第二の布片群２０の布片２１、２２、２３、…を並置する。図７Ｃでは、第二の布片群２０の布片２１、２２、…は、各布片の長手方向の中心線が等間隔に離間するように配置されている。第二の布片群２０の布片２１、２２、…も、各布片の両端部が、図７Ａに示す段階で配置された両面テープ７０上に載置されるように配置する。これにより、第二の布片群２０の布片２１、２２、…、が可溶性シート６０に固定され、第二の布片群２０の各布片２１、２２、…同士も相対的に固定される。さらに、第一の布片群１０と第二の布片群２０との相対的な配置も固定される。
【００８６】
上記の第二の並置工程後、第一の布片群１０と第二の布片群２０との相対的な配置をより確実にするために、仮縫い用縫糸によって、積層された第一の布片群１０及び第二の布片群２０を縫うこともできる。その場合、例えば、第二の布片群２０の長手方向の中心線に沿って、直線的な縫い目が形成されるように仮縫いをしてもよい。仮縫い用縫糸は、可溶性のものを用いることもできる。
【００８７】
続いて、得られた積層体に対して糸縫工程を施す。糸縫工程は、第一の布片群１０と第二の布片群２０とを互いに結合させるものである。糸縫工程によって、第一の布片群１０の布片１１、１２、１３、…同士が結合され、これにより一枚の面状体（布地１´）を得ることができる。糸縫工程後の布地１´を、図７Ｄに示す。
【００８８】
糸縫工程では、第一の布片群１０の布片１１、１２、１３、…を、その縁部に沿って連続的に縫合するものではない。例えば、図７Ｄに示すように、第一の布片群１０の布片１１の縁部１１Ａは、隣接する布片の縁部と結合していない自由な縁部部分１１ｂを複数有する。また、例えば、第二の布片群２０の布片２１の縁部２１Ａも、自由な縁部部分２１ｂを複数有している。これらの自由な縁部部分によって、従来の布地にはない特別な外観と印象を与えることができる。
【００８９】
糸縫工程は、布地の用途や所望されるデザインに応じた刺繍加工とすることもできる。刺繍加工は、上述した方式で行うことが好ましい。
【００９０】
糸縫工程により布地１´を得た後、可溶性シート６０を溶解させる。この溶解工程では、可溶性シート６０を溶解可能な溶媒中に布地１´を浸漬させる。可溶性シート６０が水溶性シートである場合には、水中でシート６０を溶解させる。可溶性シート６０の種類によっては、加温したり、撹拌したりすることが好ましい。
【００９１】
上述のように、可溶性の仮縫い用縫糸を用いて仮縫いをした場合には、溶解工程において、仮縫い用縫糸を溶解させることができる。仮縫い用縫糸が、可溶性でない場合には、仮縫い用縫糸を除去する工程が必要となる。
【００９２】
可溶性シート６０を除去した後の布地１´を、図７Ｅに示す。得られた布地１´は、例えば、面積０．０５〜２ｍ２を有するものであってよい。
【００９３】
本形態による布地は、衣服、生活用品、装飾品、家具、建物内装等に用いることができる。布片の素材、各布片群の布片の配置、及び刺繍によって斬新なデザインを作り出すことができるので、特に衣服用の布地として好適に用いることができる。例として、図８及び図９に、本形態の布地を用いて製造された衣服の写真を示す。
【符号の説明】
【００９４】
１、１´、２、３、４、５、６  布地
６０  可溶性シート
７０  両面テープ
１０、１１０、２１０、３１０、４１０、５１０、６１０  第一の布片群
１１、１１１、１１２、１１３、…  第一の布片群の布片
１１Ａ、１１１Ａ、１１２Ａ、１１３Ａ、…  第一の布片群の布片の縁部
１１ａ、１１１ａ、１１２ａ、１１３ａ、…  第一の布片群の布片の縁部の固定された縁部部分
１１ｂ、１１１ｂ、１１２ｂ、１１３ｂ、…  第一の布片群の布片の縁部の自由な縁部部分
２０、２２０、２１０、３１０、４１０、５１０、６１０  第二の布片群
５０、１５０、２５０、３５０、４５０、５５０、６５０  縫糸
４５０´  テープコード刺繍
【図１】
2018080416.tif 000003
【図２】
2018080416.tif 000004
【図３】
2018080416.tif 000005
【図４】
2018080416.tif 000006
【図５】
2018080416.tif 000007
【図６】
2018080416.tif 000008
【図７Ａ】
2018080416.tif 000009
【図７Ｂ】
2018080416.tif 000010
【図７Ｃ】
2018080416.tif 000011
【図７Ｄ】
2018080416.tif 000012
【図７Ｅ】
2018080416.tif 000013
【図８】
2018080416.tif 000014
【図９】
2018080416.tif 000015